(57)【要約】【課題】乗客コンベアの利用者それぞれに、効果的に情報の提供を行う。【解決手段】本実施形態に係るサイネージシステムは、出発地と目的地との間に懸架される乗客コンベアに用いられるサイネージシステムであって、出発地から乗客コンベアに乗り込む利用者を検知する検知手段と、乗客コンベアに沿って配列される複数の表示手段と、表示手段に表示される複数のコンテンツを記憶する記憶手段と、検知手段の検知結果に基づいて、記憶手段からコンテンツを選択する選択手段と、選択手段によって選択されたコンテンツを、乗客コンベアでの利用者の移動速度に応じたタイミングで、複数の表示手段に順次出力する出力手段と、を備える。【選択図】図１
2019214445.tif 000002
【特許請求の範囲】
【請求項１】
出発地と目的地との間に懸架される乗客コンベアに用いられるサイネージシステムであって、
前記出発地から前記乗客コンベアに乗り込む利用者を検知する検知手段と、
前記乗客コンベアに沿って配列される複数の表示手段と、
前記表示手段に表示される複数のコンテンツを記憶する記憶手段と、
前記検知手段の検知結果に基づいて、前記記憶手段から前記コンテンツを選択する選択手段と、
前記選択手段によって選択された前記コンテンツを、前記乗客コンベアでの前記利用者の移動速度に応じたタイミングで、複数の前記表示手段に順次出力する出力手段と、
を備えるサイネージシステム。
【請求項２】
前記検知手段は、前記出発地から前記乗客コンベアに乗り込む前記利用者を撮像し、撮像結果としての画像データを出力する撮像手段を有する請求項１に記載のサイネージシステム。
【請求項３】
前記記憶手段は、前記コンテンツを、前記コンテンツの視聴対象者を示す属性と関連付けて記憶し、
前記選択手段は、前記撮像手段から出力される前記画像データに基づいて、前記利用者の属性を特定し、特定した属性に応じて前記コンテンツを選択する請求項２に記載のサイネージシステム。
【請求項４】
前記コンテンツの再生所要時間は、前記乗客コンベアへの前記利用者の搭乗時間と等しい請求項１乃至３のいずれか一項に記載のサイネージシステム。
【請求項５】
前記出力手段は、前記利用者の移動速度で、前記表示手段相互間の距離を除して得られる時間ごとに、前記コンテンツを出力する前記表示手段を選択する請求項１乃至４のいずれか一項に記載のサイネージシステム。
【請求項６】
前記表示手段それぞれに近接する前記利用者を検知するセンサを備え、
前記出力手段は、前記センサの検知結果に基づいて、前記コンテンツを出力する前記表示手段を選択する請求項１乃至４のいずれか一項に記載のサイネージシステム。
【請求項７】
一対のスプロケットによって出発階と目的階との間に懸架され、相互に連結された複数の踏み段と、
前記踏み段を駆動する駆動装置と、
請求項１乃至６のいずれか一項に記載のサイネージシステムと、
を備える乗客コンベア。
【発明の詳細な説明】
【技術分野】
【０００１】
本発明の実施形態は、サイネージシステム及び乗客コンベアに関する。
【背景技術】
【０００２】
商業ビルや商業施設などに設置されるエスカレータなどの乗客コンベアでは、目的地へ向かって歩行する人が立ち止った状態になる。そのため、乗客コンベアの近くに位置する壁面や天井には、ポスターや広告などがよく設置される。また、近年では、乗客コンベアで移動する人の目に触れる位置に、サイネージディスプレイなどが設置される。
【０００３】
しかしながら、商業施設等に設置された乗客コンベアには、子供から大人までの種々の年代層の乗客や、女性又は男性など種々の属性の乗客が搭乗する。このため、サイネージディスプレイに画像や動画を上映して広告を行ったときに、乗客コンベアに複数の乗客が搭乗していると、乗客に提供される情報の内容が一部の乗客と無関係なものになってしまうことがある。
【０００４】
また、乗客コンベアに乗り込むタイミングによっては、一部の乗客がサイネージディスプレイに表示される映像を最初から見ることができなかったり、視聴を開始した映像の途中で乗客コンベアから降りることになってしまうことがある。このような場合には、各乗客に対して効果的に情報の提供を行うことができない。
【先行技術文献】
【特許文献】
【０００５】
【特許文献１】特開２０１６−１７５７５０号公報
【発明の概要】
【発明が解決しようとする課題】
【０００６】
本発明は上述の事情によりなされたもので、乗客コンベアの利用者それぞれに、効果的に情報の提供を行うことを課題とする。
【課題を解決するための手段】
【０００７】
上記課題を解決するため、本実施形態に係るサイネージシステムは、出発地と目的地との間に懸架される乗客コンベアに用いられるサイネージシステムであって、出発地から乗客コンベアに乗り込む利用者を検知する検知手段と、乗客コンベアに沿って配列される複数の表示手段と、表示手段に表示される複数のコンテンツを記憶する記憶手段と、検知手段の検知結果に基づいて、記憶手段からコンテンツを選択する選択手段と、選択手段によって選択されたコンテンツを、乗客コンベアでの利用者の移動速度に応じたタイミングで、複数の表示手段に順次出力する出力手段と、を備える。
【図面の簡単な説明】
【０００８】
【図１】本実施形態に係る乗客コンベアとしてのエスカレータを示す図である。
【図２】エスカレータの制御系を示すブロック図である。
【図３】主制御装置のブロック図である。
【図４】サイネージ制御装置のブロック図である。
【図５】コンテンツデータベースを模式的に示す図である。
【図６】コンテンツの上映処理を示すフローチャートである。
【図７】コンテンツの上映処理を説明するための図である。
【図８】エスカレータの変形例を示す図である。
【図９】エスカレータの変形例を示す図である。
【発明を実施するための形態】
【０００９】
以下、本実施形態を、図面を用いて説明する。説明には、適宜、相互に直交するＸ軸、Ｙ軸、Ｚ軸からなるＸＹＺ座標系を用いる。
【００１０】
図１は、本実施形態に係る乗客コンベアとしてのエスカレータ１０を示す図である。エスカレータ１０は、フロアＦ１とフロアＦ２に跨って架設され、例えばフロアＦ１からフロアＦ２へ利用者１５を搬送する。
【００１１】
エスカレータ１０は、トラス１１、トラス１１の内部に配置された一対のスプロケット２１，２２、スプロケット２１，２２に巻回された移動チェーン２３、移動チェーンに連結された複数の踏み段２５、スプロケット２１を駆動する駆動装置３０、トラス１１に沿って設けられるケーシング１２、ケーシング１２に設けられるガイド１３、ガイド１３に沿って移動する手摺ベルト１４、フロアＦ１からエスカレータ１０に乗り込む利用者１５を撮像するカメラ４０、エスカレータ１０に沿って配置される５つの表示装置８１〜８５を備えている。
【００１２】
トラス１１は、フロアＦ１とフロアＦ２わたって設けられている。トラス１１の側面及び下面は、鋼板によってカバーされている。また、トラス１１の両端部上面にはそれぞれ乗降板１１ａ，１１ｂが固定されている。
【００１３】
スプロケット２１，２２は、トラス１１内部のＸ軸方向両端に配置されている。スプロケット２１，２２は、それぞれＹ軸に平行な軸Ｐ１，Ｐ２を中心に回転可能に支持されている。
【００１４】
駆動装置３０は、スプロケット２１を駆動するための装置である。駆動装置３０は、スプロケット２１の近傍に配置されている。駆動装置３０は、駆動チェーン３３によってスプロケット２１と連結されている。
【００１５】
スプロケット２１，２２には、移動チェーン２３が懸架されている。駆動チェーン３３には、複数の踏み段２５が連結されている。スプロケット２１が、駆動装置３０によって駆動されると、移動チェーン２３がスプロケット２１，２２を周回する。これにより、移動チェーン２３の上方に位置する踏み段２５が、トラス１１の上方から露出した状態で、フロアＦ１とフロアＦ２の間を移動する。
【００１６】
スプロケット２１は、不図示のチェーンやスプロケットなどを介して、ガイド１３に移動可能に支持される手摺ベルト１４に連結されている。このため、駆動装置３０によってスプロケット２１が駆動されると、踏み段２５がフロアＦ１，Ｆ２の間を移動するとともに、手摺ベルト１４もガイド１３を周回する。手摺ベルト１４は、上半分がケーシング１２から露出した状態になっている。ケーシング１２から露出した手摺ベルト１４は、踏み段２５と同期してフロアＦ１とフロアＦ２の間を移動する。
【００１７】
カメラ４０は、フロアＦ２の天井Ｃ１に固定されている。カメラ４０は、視野内にフロアＦ１に位置する乗降板１１ａとその近傍が位置するように、取り付け位置及び姿勢が調整されている。カメラ４０は、フロアＦ１から乗降板１１ａを介して踏み段２５へ乗り込む利用者１５を撮像し、撮像結果としての画像データを出力する。
【００１８】
表示装置８１〜８５は、例えば液晶ディスプレイとスピーカなどを備えているサイネージディスプレイである。表示装置８１〜８５は、例えばエスカレータ１０が設置される建物の壁面に、踏み段２５及び手摺ベルト１４に沿って配置される。
【００１９】
図２は、エスカレータ１０の制御系１００を示すブロック図である。制御系１００は、主制御装置５０、駆動ユニット６０、サイネージ制御装置７０から構成される。
【００２０】
図３は、主制御装置５０のブロック図である。主制御装置５０は、ＣＰＵ（Central Processing Unit）５１、主記憶部５２、補助記憶部５３、操作パネル５４、インタフェース部５５、及び上記各部を接続するバス５６を有するコンピュータである。
【００２１】
ＣＰＵ５１は、補助記憶部５３に記憶されているプログラムに従って、上記各部を制御する。
【００２２】
主記憶部５２は、ＲＡＭ（Random Access Memory）等を有している。主記憶部５２は、ＣＰＵ５１の作業領域として用いられる。
【００２３】
補助記憶部５３は、ＲＯＭ（Read Only Memory）、半導体メモリ等の不揮発性メモリを有している。補助記憶部５３は、ＣＰＵ５１が実行するプログラム、及び各種パラメータなどを記憶している。また、補助記憶部５３は、ＣＰＵ５１の処理結果などを記憶する。
【００２４】
操作パネル５４は、例えば、押しボタンやＧＵＩ（Graphical User Interface）を備えている。エスカレータ１０の管理者や作業者は、操作パネル５４を介して、ＣＰＵ５１に各種指令を入力することができる。
【００２５】
インタフェース部５５は、シリアルインタフェース、パラレルインタフェース、無線ＬＡＮインタフェースなどを有している。カメラ４０、駆動ユニット６０、及びサイネージ制御装置７０は、インタフェース部５５を介して、ＣＰＵ５１に接続される。
【００２６】
図２に戻り、駆動ユニット６０は、駆動装置３０に電力を供給するための電源や、インバータなどを備えている。駆動ユニット６０は、主制御装置５０からの指示に基づいて、駆動装置３０を駆動する。
【００２７】
図４は、サイネージ制御装置７０のブロック図である。サイネージ制御装置７０は、主制御装置５０と同様に、ＣＰＵ７１、主記憶部７２、補助記憶部７３、操作パネル７４、インタフェース部７５、及び上記各部を接続するバス７７を有するコンピュータである。また、サイネージ制御装置７０は、バス７７に接続されるセレクタ７６を備えている。
【００２８】
ＣＰＵ７１は、補助記憶部７３に記憶されているプログラムに従って、上記各部を制御する。
【００２９】
主記憶部７２は、ＲＡＭ（Random Access Memory）等を有している。主記憶部７２は、ＣＰＵ７１の作業領域として用いられる。
【００３０】
補助記憶部７３は、ＲＯＭ（Read Only Memory）、半導体メモリ等の不揮発性メモリを有している。補助記憶部７３は、ＣＰＵ７１が実行するプログラム、各種パラメータ、及び表示装置８１〜８５によって上映される複数のコンテンツなどを記憶している。
【００３１】
図５は、補助記憶部７３に記憶されるコンテンツデータベースを模式的に示す図である。図５に示されるように、コンテンツそれぞれは、コンテンツの視聴対象者を示す情報としての対象属性と関連付けられた状態で、補助記憶部７３に記憶される。対象属性は、視聴対象者の年齢と性別から規定される。コンテンツは、例えば動画と音声からなる映像情報であり、再生時間は、利用者１５がエスカレータ１０に搭乗してから、降りるまでの時間と等しい。
【００３２】
図５に示されるように、コンテンツ１の対象属性は、年齢が２０以上であって、性別が女性である。この場合には、当該コンテンツ１の視聴対象者が、２０歳以上の女性であることを示す。同様に、コンテンツ２では、視聴対象者が７歳から１２歳の男性であり、コンテンツ３では、視聴対象者が２０歳以上の男性である。
【００３３】
操作パネル７４は、例えば、押しボタンやＧＵＩ（Graphical User Interface）を備えている。エスカレータ１０の管理者や作業者は、操作パネル７４を介して、ＣＰＵ７１に各種指令を入力することができる。
【００３４】
インタフェース部７５は、シリアルインタフェース、パラレルインタフェース、無線ＬＡＮインタフェースなどを有している。主制御装置５０は、インタフェース部７５を介して、ＣＰＵ７１に接続される。
【００３５】
セレクタ７６には、表示装置８１〜８５が接続されている。セレクタ７６は、ＣＰＵ７１の指示に基づいて、コンテンツを表示する表示装置８１〜８５を選択する。ＣＰＵ７１によってコンテンツが実行されると、実行結果としての映像が、選択された表示装置８１に出力される。
【００３６】
次に上述のように構成されるエスカレータ１０の動作について説明する。エスカレータ１０では、主制御装置５０を構成するＣＰＵ５１が、駆動ユニット６０を介して駆動装置３０を駆動する。これによって、スプロケット２１，２２に懸架された移動チェーン２３が、所定の速度でスプロケット２１，２２を周回し、踏み段２５がフロアＦ１，Ｆ２の間を移動する。これにより、利用者１５がエスカレータを利用することが可能となる。また、ＣＰＵ５１は、カメラ４０から出力される画像データに基づいて、エスカレータ１０の利用者が少ないと判断したときなどには、駆動ユニット６０を介して駆動装置３０を制御することにより、移動する踏み段２５を減速したり、停止させる。また、主制御装置５０は、カメラ４０から出力される画像データを逐次サイネージ制御装置７０へ出力する。
【００３７】
サイネージ制御装置７０を構成するＣＰＵ７１は、乗降板１１ａに位置する利用者１５を示す画像の画像データが、カメラ４０から主制御装置５０を介して出力されると、当該画像データに基づいて、コンテンツを選択する。そして、選択したコンテンツの実行結果を表示装置８１〜８５へ出力してコンテンツの上映を行う。以下、ＣＰＵ７１によるコンテンツの上映処理について、図６のフローチャートを用いて説明する。
【００３８】
ＣＰＵ７１は、画像データを受信すると、当該画像データに示される画像に写る利用者１５の顔認識を行う。そして、認識した利用者１５の顔の画像から、利用者の属性を特定する（ステップＳ１０１）。利用者１５の顔の認識や属性の特定は、顔画像から抽出した特徴量を用いる手法や、テンプレートを用いて演算される相関値を用いる手法など、公知の技術を用いて行うことができる。
【００３９】
ＣＰＵ７１は、利用者１５の属性を特定したら、図５に示されるコンテンツデータベースから、特定した属性をインデックスとしてコンテンツを選択する（ステップＳ１０２）。例えば、ＣＰＵ７１は、利用者１５の属性が、年齢が２０〜３０歳で、性別が女性であると判断した場合には、図５に示されるコンテンツから、年齢が２０歳以上で、女性を対象とするコンテンツ１とコンテンツ４とを、まず選択する。そして、選択したコンテンツが複数ある場合には、ＣＰＵ７１は、選択した複数のコンテンツからランダムにいずれかのコンテンツを選択するか、或いは、再生回数の少ないコンテンツを優先的に選択する。
【００４０】
このときには、図７に示されるように、利用者１５は、乗降板１１ａの上方に位置していると考えらえる。そのため、ＣＰＵ７１は、セレクタ７６を介して、乗降板１１ａに最も近いところに位置する表示装置８１を選択する（ステップＳ１０３）。
【００４１】
次に、ＣＰＵ７１は、選択したコンテンツを実行する（ステップＳ１０４）。これにより、コンテンツの実行結果としての再生データが、選択された表示装置８１に出力され、表示装置８１のディスプレイにコンテンツに基づく映像が表示されるとともに、スピーカから音声が出力される。
【００４２】
ＣＰＵ７１は、表示装置８１を選択した後は、乗降板１１ａの上面中央と、表示装置８１の中心ＣＯから踏み段２５の進行方向に沿って距離ｄだけ−Ｘ側へオフセットした基準位置Ｐまでの距離Ｄ１を、踏み段２５の移動速度Ｖ１で除して待機時間ｔ１を演算する（ステップＳ１０５）。なお、踏み段２５の移動速度Ｖ１は、利用者１５の移動速度と等価である。また、移動速度Ｖ１に関する情報は、例えば主制御装置５０から取得する。
【００４３】
ＣＰＵ７１は、待機時間ｔ１が経過すると（ステップＳ１０６：Ｙｅｓ）。セレクタ７６を介して、表示装置８２を選択する（ステップＳ１０７）。これにより、再生画像データが表示装置８２に出力され、表示装置８１による映像の上映が停止し、表示装置８２による映像の上映が開始される。
【００４４】
以降、ＣＰＵ７１は、コンテンツの上映が継続している間は（ステップＳ１０８：Ｎｏ）、隣接する表示装置の相互間の距離Ｄ２〜Ｄ４を、踏み段２５の移動速度Ｖ１で除して得られる時間ｔ２〜ｔ４の待機と（ステップＳ１０６）、時間ｔ２〜ｔ４が経過するごとに表示装置８２〜８５の選択（ステップＳ１０７）を交互に繰り返す。これによって、利用者１５の移動に同期して、表示装置８２〜８５が選択される。
【００４５】
ＣＰＵ７１は、コンテンツの上映が終了すると（ステップＳ１０８：Ｙｅｓ）、上映処理を終了する。コンテンツの上映時間は、距離Ｄ１〜Ｄ５の和を、踏み段の移動速度Ｖ１で除した時間以下になっている。このため、上記フローチャートに示される上映動作が実行されることで、利用者１５がエスカレータ１０に搭乗したときにコンテンツの上映が始まり、利用者がエスカレータ１０から降りるときにコンテンツの上映が終了する。
【００４６】
なお、上記上映動作は、エスカレータ１０に利用者１５が搭乗するごとに、実施される。そのため、ＣＰＵ７１は、複数の利用者１５に対して、上述した上映処理を同時に行うこともある。
【００４７】
以上説明したように、本実施形態に係るエスカレータ１０では、コンテンツを上映するための表示装置８１〜８５が、踏み段２５の移動方向に沿って配置されている。そして、利用者１５が、エスカレータ１０に搭乗するタイミングで、利用者１５の属性に応じたコンテンツが選択され上映される。したがって、利用者１５に対して、当該利用者１５の属性に応じたコンテンツの上映を開始することができる。
【００４８】
また、踏み段２５とともに移動する利用者１５の移動速度に応じたタイミングで、当該踏み段２５の前方にあり、かつ最も近くにある表示装置が、コンテンツを上映する表示装置として順次選択される。このため、利用者１５は、エスカレータ１０に搭乗したタイミングでコンテンツの視聴を開始し、エスカレータ１０を降りるまでに、利用者１５の最も近い位置に設置された表示装置を介して、コンテンツを視聴することができる。したがって、利用者１５に効果的に情報の提供を行うことが可能となる。
【００４９】
本実施形態では、コンテンツの上映時間が、利用者１５がエスカレータ１０に搭乗している時間と等しい。このため、利用者１５は、エスカレータ１０の一度の利用で、コンテンツを最初から最後まで視聴することができる。したがって、利用者１５に効果的に情報の提供を行うことができる。
【００５０】
上記実施形態では、カメラ４０、サイネージ制御装置７０、及び表示装置８１〜８５によって、サイネージシステムが構成される。
【００５１】
以上、本発明の実施形態について説明したが、本発明は上記実施形態によって限定されるものではない。例えば、上記実施形態では、踏み段２５とともに移動する利用者１５が、表示装置８１〜８５の間を移動する時間を考慮して、コンテンツを上映する表示装置８１〜８５を選択することとした。これに限らず、例えば、図８に示されるように、表示装置８１〜８５の近傍に位置する利用者１５をそれぞれ検知するセンサ９０を設け、センサ９０によって利用者１５が検知されたときに、当該センサ９０の近傍の表示装置８１〜８５を用いて、コンテンツの上映を行うこととしてもよい。
【００５２】
また、表示装置８１〜８５を選択するタイミングを、踏み段２５の移動速度に応じて演算するのではなく、踏み段２５の移動速度と、表示装置８１〜８５を選択するタイミングとの関係を示すテーブルを準備しておき、当該テーブルに準じて、コンテンツの上映を行う表示装置８１〜８５を選択することとしてもよい。
【００５３】
上記実施形態では、エスカレータ１０が、５つの表示装置８１〜８５を備えていることとした。これに限らず、エスカレータ１０は、６つ以上の表示装置を備えていてもよい。
【００５４】
また、図９に示されるように、エスカレータ１０は、長手方向を踏み段の移動方向に沿った方向とする長方形の表示装置８８を備えていてもよい。この場合には、サイネージ制御装置７０のＣＰＵ７１は、表示装置８８にコンテンツの映像を表示するフレーム８８ａを規定し、このフレーム８８ａを、表示装置８８の長手方向に沿って、踏み段２５の移動速度と同じ速度で移動する。これにより、フレーム８８ａは、エスカレータ１０の踏み段２５とともに移動する利用者１５に対する相対位置が変わることなく、表示装置８８に表示される。したがって、利用者１５に効果的に情報の提供を行うことができる。
【００５５】
上記実施形態では、表示装置８１〜８５等にコンテンツを表示することとした。これに限らず、表示装置８１〜８５に、エスカレータ１０の搭乗に際する注意事項等を示す映像やテキストを表示したり、音声を出力することとしてもよい。注意事項を示す映像や音声等は、利用者１５の属性に応じて、最適なものを選択することが考えられる。
【００５６】
上記実施形態では、乗客コンベアの一例としてのエスカレータ１０について説明した。これに限らず、乗客コンベアは移動歩道などの搬送装置であってもよい。
【００５７】
上記実施形態では、サイネージ制御装置７０のＣＰＵ７１とセレクタ７６で、出力手段が構成される。しかしながら、ＣＰＵ７１とセレクタ７６からなる出力手段ではなくて、ＣＰＵ７１とセレクタ７６の機能を実現するハードウエアで、出力手段を構成することとしてもよい。
【００５８】
以上、本実施形態及び変形例に係るエスカレータでは、利用者に効果的に情報の提供を行うことが可能となる。
【００５９】
本発明のいくつかの実施形態を説明したが、これらの実施形態は、例として提示したものであり、発明の範囲を限定することは意図していない。これら新規な実施形態は、その他の様々な形態で実施しうるものであり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６０】
１０  エスカレータ
１１  トラス
１１ａ，１１ｂ  乗降板
１２  ケーシング
１３  ガイド
１４  手摺ベルト
１５  利用者
２１，２２  スプロケット
２３  移動チェーン
２５  踏み段
３０  駆動装置
３３  駆動チェーン
４０  カメラ
５０  主制御装置
５１，７１  ＣＰＵ
５２，７２  主記憶部
５３，７３  補助記憶部
５４，７４  操作パネル
５５，７５  インタフェース部
５６，７７  バス
６０  駆動ユニット
７０  サイネージ制御装置
７６  セレクタ
８１〜８５，８８  表示装置
８８ａ  フレーム
９０  センサ
１００  制御系
ＣＯ  中心
Ｆ１，Ｆ２  フロア
Ｐ  基準位置
Ｐ１，Ｐ２  軸
【図１】
2019214445.tif 000003
【図２】
2019214445.tif 000004
【図３】
2019214445.tif 000005
【図４】
2019214445.tif 000006
【図５】
2019214445.tif 000007
【図６】
2019214445.tif 000008
【図７】
2019214445.tif 000009
【図８】
2019214445.tif 000010
【図９】
2019214445.tif 000011
【手続補正書】
【提出日】令和1年7月31日(2019.7.31)
【手続補正１】
【補正対象書類名】明細書
【補正対象項目名】０００７
【補正方法】変更
【補正の内容】
【０００７】
上記課題を解決するため、本実施形態に係るサイネージシステムは、出発地と目的地との間に懸架される乗客コンベアに用いられるサイネージシステムであって、出発地から乗客コンベアの踏み段に乗り込む利用者を検知する検知手段と、乗客コンベアに沿って配列される複数の表示手段と、表示手段に表示される複数のコンテンツを記憶する記憶手段と、検知手段の検知結果に基づいて、記憶手段からコンテンツを選択する選択手段と、選択手段によって選択されたコンテンツを、乗客コンベアでの利用者の移動速度に応じたタイミングで、複数の表示手段に順次出力する出力手段と、を備え、出力手段は、出発地に設けられる乗降板上の位置と、表示手段の中心位置から、踏み段の進行方向へオフセットした基準位置との距離を、踏み段の異動速度で除すことにより待機時間を演算し、最初にコンテンツを出力してから、待機時間が経過したときに、次にコンテンツを出力する表示手段を選択する。
【手続補正２】
【補正対象書類名】特許請求の範囲
【補正対象項目名】全文
【補正方法】変更
【補正の内容】
【特許請求の範囲】
【請求項１】
出発地と目的地との間に懸架される乗客コンベアに用いられるサイネージシステムであって、
前記出発地から前記乗客コンベアの踏み段に乗り込む利用者を検知する検知手段と、
前記乗客コンベアに沿って配列される複数の表示手段と、
前記表示手段に表示される複数のコンテンツを記憶する記憶手段と、
前記検知手段の検知結果に基づいて、前記記憶手段から前記コンテンツを選択する選択手段と、
前記選択手段によって選択された前記コンテンツを、前記乗客コンベアでの前記利用者の移動速度に応じたタイミングで、複数の前記表示手段に順次出力する出力手段と、
を備え、
前記出力手段は、前記出発地に設けられる乗降板上の位置と、前記表示手段の中心位置から、前記踏み段の進行方向へオフセットした基準位置との距離を、前記踏み段の異動速度で除すことにより待機時間を演算し、最初に前記コンテンツを出力してから、前記待機時間が経過したときに、次に前記コンテンツを出力する前記表示手段を選択するサイネージシステム。
【請求項２】
前記検知手段は、前記出発地から前記乗客コンベアに乗り込む前記利用者を撮像し、撮像結果としての画像データを出力する撮像手段を有する請求項１に記載のサイネージシステム。
【請求項３】
前記記憶手段は、前記コンテンツを、前記コンテンツの視聴対象者を示す属性と関連付けて記憶し、
前記選択手段は、前記撮像手段から出力される前記画像データに基づいて、前記利用者の属性を特定し、特定した属性に応じて前記コンテンツを選択する請求項２に記載のサイネージシステム。
【請求項４】
前記コンテンツの再生所要時間は、前記乗客コンベアへの前記利用者の搭乗時間と等しい請求項１乃至３のいずれか一項に記載のサイネージシステム。
【請求項５】
前記出力手段は、前記利用者の移動速度で、前記表示手段相互間の距離を除して得られる時間ごとに、前記コンテンツを出力する前記表示手段を選択する請求項１乃至４のいずれか一項に記載のサイネージシステム。
【請求項６】
前記表示手段それぞれに近接する前記利用者を検知するセンサを備え、
前記出力手段は、前記センサの検知結果に基づいて、前記コンテンツを出力する前記表示手段を選択する請求項１乃至４のいずれか一項に記載のサイネージシステム。
【請求項７】
一対のスプロケットによって出発階と目的階との間に懸架され、相互に連結された複数の踏み段と、
前記踏み段を駆動する駆動装置と、
請求項１乃至６のいずれか一項に記載のサイネージシステムと、
を備える乗客コンベア。